(57)【要約】      （修正有）【課題】接続維持しながら連続してフリック、スライド操作で文章が入力できる潜在的キー上で接続による移動過程における認識、停止、加圧毎に入力する方法を提供する。【解決手段】キーボード上で、ポイントＷａ２の移動操作により潜在配置内の文字又は文字列である潜在キーＨａｏを選択すると同時に選択が決定するワンムーブ、ムービング選択方法であって、ポイントの移動操作中に潜在キーの領域内で停止すると同時に、停止した領域の潜在キーの選択が決定するジョルト、ジョルティング選択方法により構成される。潜在キー上で接続による移動過程における認識、停止、加圧毎に入力を確定する。【選択図】図３
2017102798.tif 000002
【特許請求の範囲】
【請求項１】
接続解放によりカーソル上の文字情報を入力確定するが接続維持により、入力毎に最新の情報により更新された候補潜在キーや文字潜在キーを入力潜在キーからポイントの移動により直接選択可能な状態で隣接した範囲に潜在配置として設定し、該設定された潜在配置を「隣接潜在配置」とし、該隣接潜在配置内の潜在キーをフリックやスライド入力による接続選択により選択し、該選択した潜在キーの入力情報を一時保存する過程を選認とし、接続選認すると同時に選認した潜在キーの入力情報をカーソルに表示して仮の入力確定とする仮入力を実施し、潜在キーの設定を無効とし、操作によりポイントの停止した位置を基点に入力潜在キーとカーソル上の文字情報により更新された候補潜在キーを含む隣接潜在配置を設定し、該隣接潜在配置内の潜在キーを接続選択すると同時に選認し仮入力を実施する操作を繰り返す入力方法を「ワンムーブ」入力とし、目安表の非設定でのワンムーブによる入力確定するまでの工程を
１）    待機状態から
２）    操作により文字キーに接すると、該接した地点に停止したポイントが発生する
３）    接すると同時に接した文字キーの選認と選択可視する
４）    選認した文字キーの入力情報を仮入力する
５）    停止したポイントを基点に入力潜在キーとカーソル上の文字情報により更新された候補潜在キーを含む隣接潜在配置を設定する
６）    ポイントの接続解放か移動を待つ操作待ち状態になる
７）    操作により接続解放すると可視無効とし、潜在キーの設定を無効にし、カーソル上の文字情報を入力確定し、１）に戻る
８）    操作により希望する潜在キーを選択するためポイントを移動する
９）    移動操作中のポイントが入力潜在キーの領域内で接続解放すると可視無効とし、潜在キーの設定を無効にし、カーソル上の文字情報を入力確定し、１）に戻る
１０）  ポイントの移動操作により隣接潜在配置内の潜在キーが接続選択されると、可視無効とし、接続選択された潜在キーを選認し、潜在キーの設定を無効とする
１１）  選認された潜在キーが文字潜在キーなら、４）で仮入力された文字キーの入力情報の次に選認した文字潜在キーの入力情報を仮入力する
１２）  選認していた潜在キーが候補潜在キーなら、４）での仮入力の入力情報を無効にし、選認していた候補潜在キーの入力情報を仮入力する
１３）  移動操作中のポイントが停止するのを待つ
１４）  移動操作中のポイントが接続解放するとカーソル上の文字情報を入力確定し、１）に戻る
１５）  ポイントが停止すると同時に停止したポイントを基点に入力潜在キーとカーソル上の文字情報により更新された候補潜在キーを含む隣接潜在配置を設定する
１６）  停止した位置からポイントの接続解放か移動を待つ操作待ち状態になる
１７）  操作により接続解放すると可視無効とし、潜在キーの設定を無効にし、カーソル上の文字情報を入力確定し、１）に戻る
１８）  操作により希望する潜在キーを選択するためポイントを移動する
１９）  移動操作中のポイントが入力潜在キーの領域内で接続解放すると可視無効とし、潜在キーの設定を無効にし、カーソル上の文字情報を入力確定し１）に戻る
２０）  ポイントの移動操作により隣接潜在配置内の潜在キーが接続選択されると、可視無効とし、接続選択された潜在キーを選認し、潜在キーの設定を無効とする
２１）  選認した潜在キーの入力情報を１１）か１２）で仮入力したカーソル上の文字情報の次に仮入力し、１３）に戻る
とし、接することでポイントが発生するが、該ポイントの発生が確認できた位置を停止している位置とし、その後の接続解放によるタップ操作や、接続維持による移動中に接続解放した場合、該接続解放が確認できた位置を停止後に接続解放した位置として定義し、入力情報が設定された潜在キーの選択方法として、希望する潜在キーの領域内でポイントを停止させる事により、停止した位置の潜在キーを選択したとする選択方法を「ジョルト選択」とし、接続解放によりカーソル上の文字情報を入力確定するが接続維持により、入力毎に最新の情報により更新された候補潜在キーや文字潜在キーを入力潜在キーからポイントの移動により選択可能な周辺に潜在配置した周辺潜在配置内の潜在キーを選択するには、選択する潜在キーの領域内で操作により移動中のポイントを停止する事により選択するジョルト選択により実施して、選択された潜在キーを選認し仮入力し、潜在キーの設定を無効にし、ポイントが停止した位置を基点に設定された入力潜在キーの周辺にカーソル上の入力情報により更新された候補潜在キーや文字潜在キーによる周辺潜在配置が設定され、操作待ち状態になるが、入力潜在キーと周辺潜在配置以外の領域に移動操作中のポイントが停止する事により、該停止したポイントを基点に設定された入力潜在キーの周辺にカーソル上の入力情報により更新された候補潜在キーや文字潜在キーによる周辺潜在配置が設定され、操作待ち状態になり、操作によりジョルト選択した潜在キーを選認し、仮入力を実施する操作を繰り返す入力方法を「ジョルト」入力とし、ジョルトによる入力確定するまでの工程を
１）    待機状態から
２）    操作により文字キーに接すると、該接した地点に停止したポイントが発生する
３）    接すると同時に接した文字キーの選認と選択可視する
４）    選認した文字キーの入力情報を仮入力する
５）    停止したポイントを基点に入力潜在キーとカーソル上の文字情報により更新された候補潜在キーを含む周辺潜在配置を設定する
６）    ポイントの接続解放か移動を待つ操作待ち状態になる
７）    操作により接続解放すると可視無効とし、潜在キーの設定を無効にし、カーソル上の文字情報を入力確定し、１）に戻る
８）    操作により希望する潜在キーを選択するためポイントを移動する
９）    移動操作中のポイントが停止するのを待つ
１０）  ポイントが停止した位置が周辺潜在配置以外の領域の場合、５）に戻る
１１）  ポイントが停止した位置が周辺潜在配置内の潜在キーの領域内の場合、停止した領域の潜在キーの入力情報を選認し、可視無効とし、入力潜在キーや周辺潜在配置の設定を無効とする
１２）  選認された潜在キーが文字潜在キーなら、４）で仮入力された文字キーの入力情報の次に選認した文字潜在キーの入力情報を仮入力する
１３）  選認していた潜在キーが候補潜在キーなら、４）での仮入力の入力情報を無効にし、選認していた候補潜在キーの入力情報を仮入力する
１４）  停止したポイントを基点に入力潜在キーとカーソル上の文字情報により更新された候補潜在キーを含む周辺潜在配置を設定する
１５）  停止した位置からポイントの接続解放か移動を待つ操作待ち状態になる
１６）  操作により接続解放すると可視無効とし、潜在キーの設定を無効にし、カーソル上の文字情報を入力確定し、１）に戻る
１７）  操作により希望する潜在キーを選択するためポイントを移動する
１８）  移動操作中のポイントが停止するのを待つ
１９）  ポイントが停止した位置が周辺潜在配置以外の領域の場合、１４）に戻る
２０）  ポイントが停止した位置が周辺潜在配置内の潜在キーの領域内の場合、停止した領域の潜在キーの入力情報を選認し、可視無効とし、潜在キーの設定を無効とし、選認していた潜在キーの入力情報を１２）か１３）で仮入力したカーソル上の文字情報の次に仮入力し、１４）に戻る
とし、潜在配置内の潜在キーに、一つ前の状態に戻る入力情報が設定された潜在キーを配置し、該潜在キーを「戻り潜在キー」し、該戻り潜在キーの選択により停止したポイントの位置を基点に入力潜在キーと一つ前の仮入力を無効としたカーソル上の文字情報により更新された候補潜在キーを含む潜在配置が設定される機能の戻り潜在キーをワンムーブの入力方法に具備し「ムービング」入力としたり、ジョルトの入力方法に具備し「ジョルティング」入力とし、ハードキー等の既存キーの並びに隙間があり接続維持したままの信号が途切れたり、潜在配置内の希望する潜在キーを選択するために他のハードキーの上を接続維持しながら通過する場合等、接続維持しながら選択したハードキーの方向に又はハードキーに移動したことが選認されるまで時間的余裕を設けて選認する設定を具備し、従来は、各既存キーに潜在配置が設定されるが、該設定されている潜在配置の潜在キーとは別の潜在キーにより構成された別の潜在配置を設定し、別操作によるシフトキーによるタップ毎又は、別操作による接続維持、接続解放の繰り返しで従来の潜在配置から別の潜在配置と交互に変更する方法と、従来の潜在配置を一種潜在配置とし、二種、三種と複数の潜在配置を新たに設定し、別操作によるシフトキーによる連続したタップ毎に一種、二種、三種と潜在配置が変更される方法があり、該方法をシフトキー以外の既存キーに設定か、任意の既存キー毎に一種、二種と潜在配置の設定が可能で、通常、潜在キーと目安表の各欄の入力情報は同等だが、領域と位置関係は同等とは限らず、目安表が潜在キーの位置を示す手段を具備し、潜在キーの領域とは別の領域に入力情報が確認できる欄として設定が可能で、潜在配置の設定は入力画面の全面に設定したり、潜在キーの領域を制限したり、任意の領域が具備し、キーボードが入力画面の端に設定され、ポイントの移動する空間が無い場合、潜在配置の隣接潜在配置から周辺潜在配置に変更するか、事前にキーボード周辺に余白を設けるかキーボードを縮小することにより実施可能で、新たに設定される潜在配置毎に文字潜在キーだけの配置や候補潜在キーだけの配置が可能で、任意のより潜在配置の設定毎に候補潜在キーや文字潜在キーの使用する数量や利用配分の率も変更可能で、ポイントが接続維持されている状態において、接するポイントを押下げる加圧の強弱の変化により選認していた潜在キーの入力情報が仮入力されたり、潜在配置の設定を変更する機能を具備し、移動操作によりポイントが存在する潜在キーが選択される接続選択や選択された既存キーや潜在キーの入力情報を認識して一時保存する選認及び選認により一時保存された入力情報をカーソルに表示する仮入力は、任意により具備される機能で、ワンムーブ、ムービングにおいては、ポイントの移動操作により潜在配置内の潜在キーを選択すると同時に選択が決定する選択方法により構成され、ジョルト、ジョルティングにおいては、ポイントの移動操作中に潜在キーの領域内で停止すると同時に、該停止した領域の潜在キーの選択が決定する選択方法により構成されている事を特徴とする潜在的キー上で接続による移動過程における認識、停止、加圧毎に入力する方法。
【発明の詳細な説明】
【技術分野】
【０００１】
本発明は、キーボード入力に関するものである。
【背景技術】
【０００２】
ハードの釦とソフトのキーがあり、釦やキー等には文字や操作や機能等の情報が設定されていて、文字等の場合はカーソルに表示される情報で、操作や機能等の場合は各操作や機能等が実施される情報を「入力情報」とし、該入力情報を実施する過程を「入力確定」とし、マウスの操作に合わせて、画面上を指し示する小さな矢印等の絵柄を「ポインター」とし、キーの領域内で指し示したい位置にポインターを合わせ、マウスの左をクリック（押下げ）して解放する過程や、釦を押下げて解放する過程や、キーに接して解放する過程を「タップ」とし、該タップの過程において解放しないで接続を維持する状態を「接続維持」（押下げ続ける）とし、キー操作の接続維持において最初に接することで認識される接続点を停止した「ポイント」とし、該ポイントが移動する時は接続維持されていて、該接続維持による接続を解放する過程を「接続解放」としていた。
【０００３】
釦は造形による一定した領域を占有していて、該占有している領域の造形表面には入力情報が表示されていて、キーはポインター、指先等が接する平面による一定した領域を占有していて、該占有している領域の表面の欄には入力情報が表示されていた。
【０００４】
釦とキーを「既存キー」とし、該既存キーに設定されている情報が文字の場合は「文字キー」とし、該文字キー以外の各方向の矢印、シフト、コントロール、ファンクション等の操作や機能等が設定されているキーを「機能キー」とし、既存キーの集合体を「キーボード」としていた。
【０００５】
キーボードに接することにより変換処理や空白、エンター、改行等の機能キーを含む既存キーからの入力信号を待つ状態を「待機状態」とし、入力信号により文字が可視可能なように表示される位置を知らせる縦長四角や縦線等による表示を「カーソル」とし、該カーソルの通常は文章末尾で入力情報を待つが、カーソル前方で入力中の文字に色付き枠や下線等により表示されている文字情報を「カーソル上」とし、液晶及びタッチパネルの画面上やパソコン等の出力装置等によりソフトキーボードや文字の表示空間やカーソルやポインター等を表示する画面を「入力画面」としていた。
【０００６】
キーボード及びキーボード周辺に、文字キーとは別に文字キーと同様な入力情報が潜在的に設定された領域を構築し、該構築された領域を「潜在キー」とし、該潜在キーには文字キーと同じ文字情報が設定された潜在キーを「文字潜在キー」とし、キーボード以外で最初から又は入力により表示される予測変換、つながり予測、ワイルドカード予測、学習機能等の入力を補佐する入力情報が表示された各領域を既存キーとして設定し、該設定された既存キーを「候補キー」とし、該候補キーの入力情報を潜在キーの入力情報として設定された潜在キーを「候補潜在キー」とし、接続された文字キー上に文字キーと同じ位置関係や入力情報を共有した新たな潜在キーを設定し、該設定された新たな潜在キーを「入力潜在キー」とし、該入力潜在キー内を基点としたポイントの移動により選択可能な状態で周辺に潜在キーが設定された集合体の配置を「潜在配置」とし、該潜在配置は接続維持により接続した文字キー上の入力潜在キー周辺に設定していた。
【０００７】
入力潜在キーの設定と並行して、接続により選択された文字キーの入力情報を認識し、該認識した入力情報を一時保存するが、選択された既存キーや潜在キーの入力情報を認識して一時保存する過程を「選認」とし、該選認していることを可視できるよう既存キーに表示している色等を変化させることで知らせる過程を「選択可視」としていた。
【０００８】
既存キーの入力情報が表面に表示された領域を「欄」とし、文字キーや入力潜在キーと同様な位置関係で同じ入力情報を共有した欄を「入力欄」とし、該入力欄の周辺には、潜在配置と同調又は方向と位置関係が同様で文字潜在キーの入力情報が表示された欄を「文字欄」とし、候補潜在キーの入力情報が表示された欄を「候補欄」として配置され、該配置された欄の集合体を「選択欄」とし、該選択欄と入力欄を含むフリックガイド、フラワーガイド、ジェスチャーガイド等を「目安表」とし、該目安表は潜在配置と一緒に任意により設定され、「スライド」、「フリック」入力等に具備され併用していた。
【０００９】
文字キーと同様に潜在キーを選認していることを可視できるよう目安表の該当する欄の表示している色等を変化させることで知らせる過程も選択可視とし、該選択可視を無効にする過程を「可視無効」としていた。
【００１０】
入力潜在キーの縦や横方向に連続した状態で一定の領域による潜在キーを配置した潜在配置を「整列潜在配置」とし、入力潜在キー内のポイントが操作により移動し、整列潜在配置の各潜在キーの領域内に移動する事により、ポイントが存在する潜在キーが選択されるまでの選択過程を「接続領域選択」とし、該接続領域選択後の接続解放により選択した潜在キーの入力情報が入力確定するスライド入力があった。
【００１１】
文字キーに接することで、接した地点を停止したポイントの発生としたので、入力潜在キー内で停止しているポイントを基点とした各方向の位置に潜在キーを配置した潜在配置を「方位潜在配置」とし、該方位潜在配置上に、更に停止しているポイントを基点として任意により設定された距離による領域により設定された潜在キーを「操作潜在キー」とし、該操作潜在キー内のポイントが操作により移動し、方位潜在配置の各潜在キーの領域内に移動する事により、ポイントが存在する潜在キーが選択されるまでの選択過程を「接続方位選択」とし、該接続方位選択後の接続解放により選択した潜在キーの入力情報が入力確定するフリック入力があり、該フリック入力は接続領域選択と併用していて、整列潜在配置や方位潜在配置の各潜在キーの領域内に移動する事により、ポイントが存在する潜在キーが選択される選択過程を「接続選択」としていた。
【００１２】
主にスライド入力ではアルファベットの文字キーに接することで、接した文字キーの小文字、大文字、フォント違い等の同種による文字潜在キーからなる潜在配置を「同種潜在配置」として、「あ」段の文字キーに接することで、接した文字キーの他段による同行の仮名による文字潜在キーからなる潜在配置を「同行潜在配置」とし、該同行潜在配置と同種潜在配置の設定による入力操作として、待機状態から接続維持により接した文字キーの表示が選択可視され、同時に入力潜在キーと潜在配置が設定され、該設定された入力潜在キーと潜在配置が目視できるよう目安表が任意により設定され、該目安表を指標にして接続維持により発生したポイントの位置を停止位置とし、該停止位置からポイントの移動操作により潜在配置内の潜在キーを接続選択する度に選択可視され、該選択可視されている状態で接続解放することで接続選択されていた潜在キーの入力情報が入力確定し、待機状態になるスライド、フリック入力があった。
【００１３】
目安表の設定と潜在キーの領域外での移動操作を無効とした、スライド、フリック入力の工程を
１）    待機状態から。
２）    操作により文字キーに接すると、該接した地点に停止したポイントが発生する。
３）    接すると同時に接した文字キーを選択可視する。
４）    停止したポイントを基点にスライド入力では入力潜在キーと同種潜在配置を、フリック入力では操作潜在キーと同行潜在配置を設定する。
５）    ポイントの接続解放か移動を待つ操作待ち状態になる。
６）    操作により接続解放すると可視無効とし、潜在キーの設定を無効にし、選択可視していた文字キーの入力情報が入力確定し、１）に戻る。
７）    操作により希望する潜在キーを選択するためポイントを移動する。
８）    スライド入力での入力潜在キーとフリック入力での操作潜在キーの領域内での移動中の接続解放により可視無効とし、潜在キーの設定を無効にし、選択可視していた文字キーの入力情報が入力確定し、１）に戻る。
９）    ポイントの移動操作により潜在配置内の潜在キーが接続選択され、該接続選択された潜在キーの領域内で接続解放すると潜在キーの設定を無効とし、接続選択された潜在キーの入力情報が入力確定し、１）に戻る。
１０）  潜在配置内の他の潜在キーに選択を変更する場合は、７）に戻る。
としていた。
【００１４】
任意により設定された文字情報による文字潜在キーとカーソル上の文字情報により更新された候補潜在キーにより構成された潜在配置を「周辺潜在配置」とし、該周辺潜在配置の設定による入力操作として、待機状態から、文字キーのタップにより文字キーの入力情報が入力確定し待機状態になるが、該待機状態から接続維持により接した文字キーの選認と選択可視が実施されるが、選認により一時保存された入力情報をカーソルに表示する過程を「仮入力」とし、該仮入力の実施により文字キーの入力情報が仮入力されるまでを１組目の工程とし、文字キー上のポイントを基点に入力潜在キーと周辺潜在配置が設定され、操作により周辺潜在配置内の文字潜在キーを接続選択することで選認と目安表の該当する欄を選択可視すると同時に、先に仮入力されている文字キーの入力情報の次に文字潜在キーの入力情報を仮入力し、文字キーと文字潜在キーの2個の入力情報による一組の情報をカーソルに表示する２組目の工程か、周辺潜在配置内の候補潜在キーを接続選択することで選認と目安表の該当する欄を選択可視すると同時に、先に仮入力されている文字キーの入力情報を無効にし、候補潜在キーの入力情報を仮入力し、候補潜在キーの１個の入力情報による一組の情報をカーソルに表示する２組目の工程のどちらかの後の接続解放により１組目と２組目の工程によりカーソル上に表示している入力情報が入力確定し待機状態になる「ムーブ」入力があった（特許文献１参照）。
【００１５】
目安表の設定と潜在キーの領域外での移動操作を無効とした、ムーブ入力の工程を
１）    待機状態から。
２）    操作により文字キーに接すると、該接した地点に停止したポイントが発生する。
３）    接すると同時に接した文字キーの選認と選択可視する。
４）    選認した文字キーの入力情報をカーソルに仮入力する。
５）    停止したポイントを基点に入力潜在キーとカーソル上の文字情報により更新された候補潜在キーを含む周辺潜在配置を設定する。
６）    ポイントの接続解放か移動を待つ操作待ち状態になる。
７）    操作により接続解放すると可視無効とし、潜在キーの設定を無効にし、カーソル上の文字情報を入力確定し、１）に戻る。
８）    操作により希望する潜在キーを選択するためポイントを移動する。
９）    移動操作中のポイントが入力潜在キーの領域内で接続解放すると可視無効とし、潜在キーの設定を無効にし、カーソル上の文字情報を入力確定し、１）に戻る。
１０）  ポイントの移動操作により潜在配置内の潜在キーが接続選択されると、可視無効とし、接続選択した潜在キーを選認する。
１１）  潜在配置内の他の潜在キーに選択を変更する場合は、８）に戻る。
１２）  選択した潜在キーの領域内で、操作により移動中か停止中のポイントを接続解放する。
１３）  接続解放と同時に可視無効とし、潜在キーの設定を無効にする。
１４）  選認していた潜在キーが文字潜在キーなら、４）で仮入力していた文字キーの入力情報の次に選認していた文字潜在キーの入力情報を仮入力する。
１５）  選認していた潜在キーが候補潜在キーなら、４）での仮入力の入力情報を無効にし、選認していた候補潜在キーの入力情報を仮入力する。
１６）  カーソル上の文字情報を入力確定し、１）に戻る。
としていた。
【００１６】
キーボード上で最初に入力したい文字キーに接続維持し、なぞる操作で次に入力したい文字キー上まで移動する毎に入力される「スワイプ」入力があった。
【先行技術文献】
【特許文献】
【００１７】
【特許文献１】特願２０１５−１８４５２２
【発明の概要】
【発明が解決しようとする課題】
【００１８】
スライド入力、フリック入力は一回の接続選択による一文字だけの入力情報しか入力出来ず、ムーブ入力は接続により選択した文字の入力情報と一回の接続選択により選択した文字の入力情報か、一回の接続選択により更新された候補キーの入力情報しか入力出来なかった。
【００１９】
スワイプ入力は文字キーだけの接続維持による一文字毎の連続入力で候補キーや潜在キー等を利用していない。
【課題を解決するための手段】
【００２０】
接続解放によりカーソル上の文字情報を入力確定するが接続維持により、入力毎に最新の情報により更新された候補潜在キーや文字潜在キーを入力潜在キーからポイントの移動により直接選択可能な状態で隣接した範囲に潜在配置として設定し、該設定された潜在配置を「隣接潜在配置」とし、該隣接潜在配置内の潜在キーをフリックやスライド入力による接続選択により選択し、該選択した潜在キーの入力情報を一時保存する過程を選認とし、接続選認すると同時に選認した潜在キーの入力情報をカーソルに表示して仮の入力確定とする仮入力を実施し、潜在キーの設定を無効とし、操作によりポイントの停止した位置を基点に入力潜在キーとカーソル上の文字情報により更新された候補潜在キーを含む隣接潜在配置を設定し、該隣接潜在配置内の潜在キーを接続選択すると同時に選認し仮入力を実施する操作を繰り返す入力方法を「ワンムーブ」入力とした。
【００２１】
目安表の非設定でのワンムーブによる入力確定するまでの工程を
１）    待機状態から。
２）    操作により文字キーに接すると、該接した地点に停止したポイントが発生する。
３）    接すると同時に接した文字キーの選認と選択可視する。
４）    選認した文字キーの入力情報を仮入力する。
５）    停止したポイントを基点に入力潜在キーとカーソル上の文字情報により更新された候補潜在キーを含む隣接潜在配置を設定する。
６）    ポイントの接続解放か移動を待つ操作待ち状態になる。
７）    操作により接続解放すると可視無効とし、潜在キーの設定を無効にし、カーソル上の文字情報を入力確定し、１）に戻る。
８）    操作により希望する潜在キーを選択するためポイントを移動する。
９）    移動操作中のポイントが入力潜在キーの領域内で接続解放すると可視無効とし、潜在キーの設定を無効にし、カーソル上の文字情報を入力確定し、１）に戻る。
１０）  ポイントの移動操作により隣接潜在配置内の潜在キーが接続選択されると、可視無効とし、接続選択された潜在キーを選認し、潜在キーの設定を無効とする。
１１）  選認された潜在キーが文字潜在キーなら、４）で仮入力された文字キーの入力情報の次に選認した文字潜在キーの入力情報を仮入力する。
１２）  選認していた潜在キーが候補潜在キーなら、４）での仮入力の入力情報を無効にし、選認していた候補潜在キーの入力情報を仮入力する。
１３）  移動操作中のポイントが停止するのを待つ。
１４）  移動操作中のポイントが接続解放するとカーソル上の文字情報を入力確定し、１）に戻る。
１５）  ポイントが停止すると同時に停止したポイントを基点に入力潜在キーとカーソル上の文字情報により更新された候補潜在キーを含む隣接潜在配置を設定する。
１６）  停止した位置からポイントの接続解放か移動を待つ操作待ち状態になる。
１７）  操作により接続解放すると可視無効とし、潜在キーの設定を無効にし、カーソル上の文字情報を入力確定し、１）に戻る。
１８）  操作により希望する潜在キーを選択するためポイントを移動する。
１９）  移動操作中のポイントが入力潜在キーの領域内で接続解放すると可視無効とし、潜在キーの設定を無効にし、カーソル上の文字情報を入力確定し１）に戻る。
２０）  ポイントの移動操作により隣接潜在配置内の潜在キーが接続選択されると、可視無効とし、接続選択された潜在キーを選認し、潜在キーの設定を無効とする。
２１）  選認した潜在キーの入力情報を１１）か１２）で仮入力したカーソル上の文字情報の次に仮入力し、１３）に戻る。
【００２２】
接することでポイントが発生するが、該ポイントの発生が確認できた位置を停止している位置とし、その後の接続解放によるタップ操作や、接続維持による移動中に接続解放した場合、該接続解放が確認できた位置を停止後に接続解放した位置として定義し、入力情報が設定された潜在キーの選択方法として、希望する潜在キーの領域内でポイントを停止させる事により、停止した位置の潜在キーを選択したとする選択方法を「ジョルト選択」とする。
【００２３】
接続解放によりカーソル上の文字情報を入力確定するが接続維持により、入力毎に最新の情報により更新された候補潜在キーや文字潜在キーを入力潜在キーからポイントの移動により選択可能な周辺に潜在配置した周辺潜在配置内の潜在キーを選択するには、選択する潜在キーの領域内で操作により移動中のポイントを停止する事により選択するジョルト選択により実施して、選択された潜在キーを選認し仮入力し、潜在キーの設定を無効にし、ポイントが停止した位置を基点に設定された入力潜在キーの周辺にカーソル上の入力情報により更新された候補潜在キーや文字潜在キーによる周辺潜在配置が設定され、操作待ち状態になるが、入力潜在キーと周辺潜在配置以外の領域に移動操作中のポイントが停止する事により、該停止したポイントを基点に設定された入力潜在キーの周辺にカーソル上の入力情報により更新された候補潜在キーや文字潜在キーによる周辺潜在配置が設定され、操作待ち状態になり、操作によりジョルト選択した潜在キーを選認し、仮入力を実施する操作を繰り返す入力方法を「ジョルト」入力とする。
【００２４】
ジョルトによる入力確定するまでの工程を
１）    待機状態から。
２）    操作により文字キーに接すると、該接した地点に停止したポイントが発生する。
３）    接すると同時に接した文字キーの選認と選択可視する。
４）    選認した文字キーの入力情報を仮入力する。
５）    停止したポイントを基点に入力潜在キーとカーソル上の文字情報により更新された候補潜在キーを含む周辺潜在配置を設定する。
６）    ポイントの接続解放か移動を待つ操作待ち状態になる。
７）    操作により接続解放すると可視無効とし、潜在キーの設定を無効にし、カーソル上の文字情報を入力確定し、１）に戻る。
８）    操作により希望する潜在キーを選択するためポイントを移動する。
９）    移動操作中のポイントが停止するのを待つ。
１０）  ポイントが停止した位置が周辺潜在配置以外の領域の場合、５）に戻る。
１１）  ポイントが停止した位置が周辺潜在配置内の潜在キーの領域内の場合、停止した領域の潜在キーの入力情報を選認し、可視無効とし、入力潜在キーや周辺潜在配置の設定を無効とする。
１２）  選認された潜在キーが文字潜在キーなら、４）で仮入力された文字キーの入力情報の次に選認した文字潜在キーの入力情報を仮入力する。
１３）  選認していた潜在キーが候補潜在キーなら、４）での仮入力の入力情報を無効にし、選認していた候補潜在キーの入力情報を仮入力する。
１４）  停止したポイントを基点に入力潜在キーとカーソル上の文字情報により更新された候補潜在キーを含む周辺潜在配置を設定する。
１５）  停止した位置からポイントの接続解放か移動を待つ操作待ち状態になる。
１６）  操作により接続解放すると可視無効とし、潜在キーの設定を無効にし、カーソル上の文字情報を入力確定し、１）に戻る。
１７）  操作により希望する潜在キーを選択するためポイントを移動する。
１８）  移動操作中のポイントが停止するのを待つ。
１９）  ポイントが停止した位置が周辺潜在配置以外の領域の場合、１４）に戻る。
２０）  ポイントが停止した位置が周辺潜在配置内の潜在キーの領域内の場合、停止した領域の潜在キーの入力情報を選認し、可視無効とし、潜在キーの設定を無効とし、選認していた潜在キーの入力情報を１２）か１３）で仮入力したカーソル上の文字情報の次に仮入力し、１４）に戻る。
【００２５】
潜在配置内の潜在キーに、一つ前の状態に戻る入力情報が設定された潜在キーを配置し、該潜在キーを「戻り潜在キー」し、該戻り潜在キーの選択により停止したポイントの位置を基点に入力潜在キーと一つ前の仮入力を無効としたカーソル上の文字情報により更新された候補潜在キーを含む潜在配置が設定される機能の戻り潜在キーをワンムーブの入力方法に具備し「ムービング」入力としたり、ジョルトの入力方法に具備し「ジョルティング」入力とする。
【００２６】
ハードキー等の既存キーの並びに隙間があり接続維持したままの信号が途切れたり、潜在配置内の希望する潜在キーを選択するために他のハードキーの上を接続維持しながら通過する場合等、接続維持しながら選択したハードキーの方向に又はハードキーに移動したことが選認されるまで時間的余裕を設けて選認する設定を具備する。
【００２７】
従来は、各既存キーに潜在配置が設定されるが、該設定されている潜在配置の潜在キーとは別の潜在キーにより構成された別の潜在配置を設定し、別操作によるシフトキーによるタップ毎又は、別操作による接続維持、接続解放の繰り返しで従来の潜在配置から別の潜在配置と交互に変更する方法と、従来の潜在配置を一種潜在配置とし、二種、三種と複数の潜在配置を新たに設定し、別操作によるシフトキーによる連続したタップ毎に一種、二種、三種と潜在配置が変更される方法があり、該方法をシフトキー以外の既存キーに設定か、任意の既存キー毎に一種、二種と潜在配置の設定が可能である。
【００２８】
通常、潜在キーと目安表の各欄の入力情報は同等だが、領域と位置関係は同等とは限らず、目安表が潜在キーの位置を示す手段を具備し、潜在キーの領域とは別の領域に入力情報が確認できる欄として設定が可能で、潜在配置の設定は入力画面の全面に設定したり、潜在キーの領域を制限したり、任意の領域が具備できる。
【００２９】
キーボードが入力画面の端に設定され、ポイントの移動する空間が無い場合、潜在配置の隣接潜在配置から周辺潜在配置に変更するか、事前にキーボード周辺に余白を設けるかキーボードを縮小することにより実施可能である。
【００３０】
新たに設定される潜在配置毎に文字潜在キーだけの配置や候補潜在キーだけの配置が可能で、任意のより潜在配置の設定毎に候補潜在キーや文字潜在キーの使用する数量や利用配分の率も変更可能である。
【００３１】
ポイントが接続維持されている状態において、接するポイントを押下げる加圧の強弱の変化により選認していた潜在キーの入力情報が仮入力されたり、潜在配置の設定を変更する機能を具備する。
【００３２】
移動操作によりポイントが存在する潜在キーが選択される接続選択や選択された既存キーや潜在キーの入力情報を認識して一時保存する選認及び選認により一時保存された入力情報をカーソルに表示する仮入力は、任意により具備される機能である。
【００３３】
ワンムーブ、ムービングにおいては、ポイントの移動操作により潜在配置内の潜在キーを選択すると同時に選択が決定する選択方法により構成されている。
【００３４】
ジョルト、ジョルティングにおいては、ポイントの移動操作中に潜在キーの領域内で停止すると同時に、該停止した領域の潜在キーの選択が決定する選択方法により構成されている。
【発明の効果】
【００３５】
一連の移動、停止の繰り返しだけで、希望する文章が入力可能である。
【図面の簡単な説明】
【００３６】
【図１】本発明において、使用頻度順に８文字ずつ表示された４つの目安表で、下段には目安表の切換え用機能キーが表示されている選択案内図
【図２】本発明において、左側の入力画面は画面上に表示された図で、右側の入力画面は可視不能な隣接潜在配置を表示した図の設定で、「Ｓ」の文字キーに接することでカーソルに「Ｓ」が仮入力され、ポイントが発生し、該発生したポイントを基点に操作潜在キーと隣接潜在配置がポインターを基点に第一目安表が設定された案内図
【図３】本発明において、図２と同様な設定で、ポイントの移動により、「О」の入力情報が設定された文字潜在キーに接する事により、カーソルに「ｏ」が仮入力され、接した文字潜在キーが可視できるよう斜線により表示され、仮入力された「О」の文字欄が選択可視された案内図
【図４】本発明において、図２と同様な設定で、図３で仮入力されたので、潜在キーと第一目安表を無効とした案内図
【図５】本発明において、図２と同様な設定で、次の文字を入力するため新たな隣接潜在配置と第一目安表がポイントを基点に設定された案内図
【図６】本発明において、図２と同様な設定で、第一目安表には希望する「Ｆ」が無いので、第二目安表に切り替えるため、機能キーの接触により実施された案内図
【図７】本発明において、図２と同様な設定で、ポイントの移動により、「Ｆ」の入力情報が設定された文字潜在キーに接する事により可視できるよう斜線により表示され、カーソルに「ｆ」が仮入力され、目安表の「Ｆ」の文字欄が選択可視された案内図
【図８】本発明において、戻り欄を含む使用頻度順に７文字ずつ表示された４つの目安表で、下段には目安表の切換え用機能キーが表示されている選択案内図
【図９】本発明において、左側の入力画面は画面上に表示された図で、右側の入力画面は可視不能な周辺潜在配置を表示した図の設定で、「Ｓ」の文字キーに接することでカーソルに「Ｓ」が仮入力され、ポイントが発生し、該発生したポイントを基点に入力潜在キーと周辺潜在配置がポインターを基点に第一目安表が設定された案内図
【図１０】本発明において、図９と同様な設定で、ポイントの移動により、「О」の入力情報が設定された文字潜在キーに接する事により可視できるよう斜線により表示され、「О」の文字欄が選択可視された案内図
【図１１】本発明において、図９と同様な設定で、ポイントが停止する事により、カーソルに「ｏ」が仮入力され、潜在キーと第一目安表を無効とした案内図
【図１２】本発明において、図９と同様な設定で、ポイントが停止した位置に新たな周辺潜在配置と第一目安表が設定された案内図
【図１３】本発明において、図９と同様な設定で、図１２の状態からポイントとポインターが移動している案内図
【図１４】本発明において、図９と同様な設定で、図１３で移動中のポイントとポインターが停止し、該停止したポイントとポインターを基点に図１２で設定された周辺潜在配置と第一目安表が再設定された案内図
【図１５】本発明において、図９と同様な設定で、第一目安表には希望する「Ｆ」の文字が無いので、図８の第三目安表に切り替えるため、機能キーの接触により実施された案内図
【図１６】本発明において、図９と同様な設定で、ポイントの移動により、「Ｆ」の入力情報が設定された文字潜在キーに接する事により可視できるよう斜線により表示され、「Ｆ」の文字欄が選択可視された案内図
【図１７】本発明において、図９と同様な設定で、図１６の斜線で表示されていた「Ｆ」の入力情報が設定された文字潜在キーの領域内でポイントが停止したので、「ｆ」の文字がカーソルに仮入力され、停止したポイントを基点に図１２で設定された周辺潜在配置と第一目安表が設定された案内図
【図１８】本発明において、戻り欄を含む、優位順に予測単語を７個ずつ表示された４つの目安表が表示されている案内図
【図１９】本発明において、図９と同様な設定で、図１７の状態から、接しているポイントに更なる加圧を加える事で周辺潜在配置と第一目安表が無効になった案内図
【図２０】本発明において、図９と同様な設定で、図１９で加圧されていたポイントを通常の接する状態に戻すことで、ポイントを基点に周辺潜在配置とポインターを基点とした図１８の第一目安表と、該目安表と同等な辺潜在配置がポイントを基点に設定された案内図
【図２１】本発明において、図９と同様な設定で、ポイントの移動により、「Ｓｏｆｔｌｙ」の入力情報が設定された文字潜在キーに接する事により可視できるよう斜線により表示され、「Ｓｏｆｔｌｙ」の単語が表示された文字欄が選択可視された案内図
【図２２】本発明において、図９と同様な設定で、図２１の続きで、ポイントの移動により、「Ｓｏｆｔｗａｒｅ」の入力情報が設定された文字潜在キーに接する事により可視できるよう斜線により表示され、「Ｓｏｆｔｗａｒｅ」の単語が表示された文字欄が選択可視された案内図
【図２３】本発明において、図９と同様な設定で、図２２の続きで、斜線により表示されていた文字潜在キーの領域内で接していたポイントが停止する事により、カーソルに仮入力されていた「Ｓｏｆ」を無効にして「Ｓｏｆｔｗａｒｅ」の入力情報が仮入力され、停止しているポイントを基点に周辺潜在配置とカーソルに表示されている文字情報から予測した単語が表示された図１８の第一目安表と、該目安表と同等な周辺潜在配置が設定された案内図
【図２４】本発明において、パソコン等の入力画面で表示される日本語の５０音表示によるソフトのキーボードの「そ」の文字キー上にポインターを移動し、マウスの左クリックにより「そ」の文字情報が仮入力され、カーソルに表示されている文字情報から予測した単語が表示された目安表が表示された案内図
【図２５】本発明において、図２４の続きで目安表の表示だけを抜粋して表示した図で、上段左が「ふ」の文字キー上で左クリックする事で仮入力され、「そふ」の文字情報から予測した単語が表示された目安表が表示され、引き続き、上段右が「と」の文字キー上で左クリックする事で仮入力され、「そふと」の文字情報から予測した単語が表示された目安表が表示され、引き続き、下段左が「う」の文字キー上で左クリックする事で仮入力され、「そふとう」の文字情報から予測した単語が表示された目安表が表示され、引き続き、下段右が入力しようとしていた「ソフトウェア」の単語が目安表に表示されていたので、「ソフトウェア」の単語を仮入力するよう左クリックを維持したまま、ポインターを移動している状態で、左クリックの解放で「ソフトウェア」の文字情報が仮入力される展開図
【図２６】本発明において、周辺潜在配置の形状の変化と、周辺潜在配置の設定された入力情報を可視化した目安表の表示で、上段左が入力欄を基準に英字を「ＡＢＣ」順に表示した目安表で、下段左が入力欄を基準に英字を使用頻度順に表示した目安表で、上段中央が入力欄を基準にアラビア語を表示した目安表で、上段右が入力欄を基準にギリシャ語の大文字を表示した目安表で、下段右が入力欄を基準にギリシャ語の小文字を表示した目安表の各案内図
【符号の説明】
【００３７】
Ａ  目安表
Ｂ  入力欄
Ｃ  文字欄
Ｄ  候補欄
Ｅ  戻り欄
Ｆ  潜在配置
Ｇ  入力潜在キー
Ｈ  文字潜在キー
Ｊ  候補潜在キー
Ｍ  キーボード
Ｎ  文字キー
Ｐ  機能キー
Ｒ  入力画面
Ｓ  カーソル
Ｔ  ポインター
Ｖ  操作潜在キー
Ｗ  ポイント
【発明を実施するための形態】
【実施例１】
【００３８】
図１の各図はワンムーブ入力における接続維持により表示される目安表で、上段左端の目安表を第一目安表（Ａａ０）とし、該第一目安表の中央左を基点に時計回り方向に英字の使用頻度の順に表示されていて、最初の「Ｅ」の使用頻度は１１．８３４％で１０回に一回以上使用する数字で、「Ｅ、Ａ、Ｔ、Ｉ，Ｏ、Ｓ、Ｎ、Ｒ」の８文字の合計使用頻度は６４．５０４％で二回に一回以上使用する数字で、接続維持の状態で下段左端に表示のシフトの機能キー（Ｐａ１）を選択する事により、上段中央左の目安表（Ａａ１）に変更され、該変更された目安表を第二目安表（Ａａ１）とし、下段中央に表示の数字キー変更の機能キー（Ｐａ２）を選択する事により、上段中央右の目安表に変更され、該変更された目安表を第三目安表（Ａａ２）とし、下段右端に表示のキーボードを選択する機能キー（Ｐａ３）を選択する事により、上段右端の目安表に変更され、該変更された目安表を第四目安表（Ａａ３）とする図である。
【００３９】
図２は両端に余白のあるキーボードにより、ワンムーブ入力により「Ｓｏｆｔｗａｒｅ」の文字を入力しようとする過程の最初の入力画面で、接続解放によりカーソルに表示されている文字が入力確定するが、左側入力画面（Ｒａ１）がキーボード、カーソル等、入力画面に表示されている全体図で、右側入力画面（Ｒａ１ａ）は目に見えない潜在キーの設定を可視化した全体図で、左側入力画面（Ｒａ１）は「Ｓ」の文字キー（Ｎａｓ）に接することで選択可視され、接した点にポイント（Ｗａ１）が発生し、該発生したポイント（Ｗａ１）の案内として任意により定めた上方向に距離を保ち、ポイントと同じ動作をするよう設定されたポインター（Ｔａ１）が表示され、該表示されたポインター（Ｔａ１）の先を基点として選択可視された「Ｓ」が表示された入力欄（Ｂａｓ）と周辺に図１の第一目安表（Ａａ０）が表示され、カーソル（Ｓａ１）に「Ｓ」の文字が仮入力された状態で、右側入力画面（Ｒａ１a）には左側入力画面（Ｒａ１）と同じ位置のポイント（Ｗａ１）が表示されていて、該表示されているポイント（Ｗａ１）を基点に上下左右と４つの各斜め方向に放射線状に８等分した隣接潜在配置による文字潜在キーが設定され、該設定された文字潜在キーには図１の第一目安表（Ａａ０）に表示されている同方向の文字情報が入力情報として設定されていて、隣接潜在配置の上にポイント（Ｗａ１）を基点とした任意による領域の操作潜在キー（Ｖａ１）が設定され、次の操作を待つ状態の図である。
【００４０】
図３は図２の続きで、表示されているポインター（Ｔａ２）を目安表（Ａａ０）に表示している「О」の方向に移動するようポイント（Ｗａ２）を移動することで、右側入力画面（Ｒａ２ａ）で表示の操作潜在キー（Ｖａ１）の領域から離れ、「О」の入力情報が設定された文字潜在キー（Ｈａｏ）の領域に接することで、左側入力画面（Ｒａ２）での図１の第一目安表（Ａａ０）の「О」の文字欄（Ｃａｏ）が選択可視され、カーソル（Ｓａ２）に「ｏ」の文字が仮入力され、ポイント（Ｗａ２）が移動している途中状態の図である。
【００４１】
図４は図３の続きで、カーソルに「ｏ」の文字が仮入力されたことにより、左側入力画面（Ｒａ３）に表示されていた入力欄を含む目安表と右側入力画面（Ｒａ３ａ）の潜在キーが無効になり、移動中のポイント（Ｗａ３）及びポインター（Ｔａ３）が停止するのを待っている状態の図である。
【００４２】
図５は図４の続きで、移動中のポイント（Ｗａ４）が停止することにより、左側入力画面（Ｒａ４）ではポインター（Ｔａ４）の先を基点として、選択可視された「О」が表示された入力欄（Ｂａｏ）と周辺に図１の第一目安表（Ａａ０）が表示され、右側入力画面（Ｒａ４ａ）には図２と同様なポイント（Ｗａ４）を基点とした隣接潜在配置と操作潜在キーが設定された図である。
【００４３】
図６は図５の続きで、次は「ｆ」を入力したいので、接続維持によるポイント（Ｗａ４）とポインター（Ｔａ４）は現状維持で、左側入力画面（Ｒａ５）でシフトの機能キー（Ｐａ１）に接することで図３と同じ入力欄（Ｂａｏ）の周辺に表示されている図１の第一目安表（Ａａ０）が図１の第二目安表（Ａａ１）に変更され、右側入力画面（Ｒａ５ａ）の各文字潜在キーにも第二目安表（Ａａ１）に表示されている入力情報が同方向に設定されている図である。
【００４４】
図７は図６の続きで、左側入力画面（Ｒａ６）では図３と同様にポイント（Ｗａ５）及びポインター（Ｔａ５）の移動により、右側入力画面（Ｒａ６ａ）では「Ｆ」の文字情報が設定された文字潜在キー（Ｈａｆ）が選択され、該選択と同時にカーソル（Ｓａ３）に「ｆ」の文字が仮入力され、第二目安表（Ａａ１）の「Ｆ」表示の文字欄（Ｃａｆ）が選択可視された図で、図４以降と同様な操作により文字の仮入力を続行していく入力方法である。
【実施例２】
【００４５】
実施例２は実施例１と同様なキーボードによる入力画面により構成されていて、図８の各図はジョルト入力における接続維持により表示される目安表で、上段左端の目安表を第一目安表（Ａｂ０）とし、該第一目安表（Ａｂ０）の中央左を基点に時計回り方向に英字の使用頻度の順に表示されていて、「Ｅ、Ａ、Ｔ、Ｉ，Ｏ、Ｓ、Ｎ」の７文字の合計使用頻度は５８．０５％で二回に一回以上使用する数字で、「Ｂａｃｋ」と表示された欄は「戻り欄」で、該戻り欄（Ｅｂ）と同様な潜在キーが設定されていて、該設定された潜在キーを「戻り潜在キー」とし、該戻り潜在キーの選択により、仮入力される前のカーソルの文字情報に戻り、現ポイントを基点に仮入力される前の目安表や潜在配置が再設定された状態に戻す入力情報が設定されていて、接続維持の状態で、下段左端に表示のシフトの機能キー（Ｐｂ１）を選択する事により、上段中央左の目安表（Ａｂ１）に変更され、該変更された目安表を第二目安表（Ａｂ１）とし、下段中央に表示の数字キー変更の機能キー（Ｐｂ２）を選択する事により、上段中央右の目安表に変更され、該変更された目安表を第三目安表（Ａｂ２）とし、下段右端に表示のキーボード選択の機能キー（Ｐｂ３）を選択する事により、上段右端の目安表に変更され、該変更された目安表を第四目安表（Ａｂ３）とする図である。
【００４６】
図９はジョルト入力により「Ｓｏｆｔｗａｒｅ」の文字を入力しようとする過程の図２と同様な設定の入力画面で、接続解放によりカーソルに表示されている文字が入力確定するが、左側入力画面（Ｒｂ１）は「Ｓ」の文字キーに接することで「Ｓ」の文字キー（Ｎｂｓ）が選択可視され、接した点にポイント（Ｗｂ１）が発生し、該発生したポイント（Ｗｂ１）の案内としたポインター（Ｔｂ１）が表示され、該表示されたポインター（Ｔｂ１）の先を基点として選択可視された「Ｓ」が表示された入力欄（Ｂｂｓ）と周辺に図１の第一目安表（Ａａ０）が表示され、カーソル（Ｓａ１）に「Ｓ」の文字が仮入力された状態で、右側入力画面（Ｒｂ１ａ）には左側入力画面（Ｒｂ１）と同じ位置のポイント（Ｗｂ１）が表示されていて、該表示されているポイント（Ｗｂ１）を基点に図１の目安表（Ａａ０）と同じ形状により構成された周辺潜在配置（Ｆｂ１）による入力潜在キーと文字潜在キーが設定され、該設定された文字潜在キーには左側入力画面（Ｒｂ１）の目安表（Ａａ０）に表示されている同方向の文字情報が入力情報として設定され次の操作を待つ状態の図である。
【００４７】
図１０は図９の続きで、表示されているポインター（Ｔｂ２）を目安表（Ａａ０）に表示している「О」の方向に移動するようポイント（Ｗｂ２）を移動することで、右側入力画面（Ｒｂ２ａ）で表示の周辺潜在配置（Ｆｂ１）内で入力潜在キーの領域から離れ、「О」の入力情報が設定された文字潜在キー（Ｈｂｏ）の領域に接することで、左側入力画面（Ｒｂ２）での目安表（Ａａ０）の「О」表示の文字欄（Ｃｂ０）が選択可視され、ポイント（Ｗｂ２）が移動している途中状態の図である。
【００４８】
図１１は図１０の続きで、「О」の文字情報が設定された文字潜在キーの領域内で移動中のポイント（Ｗｂ３）及びポインター（Ｔｂ３）が停止する事により、カーソル（Ｓａ２）に「о」の文字が仮入力され、図１１では左側入力画面（Ｒｂ３）に表示されていた入力欄を含む目安表と右側入力画面（Ｒｂ３ａ）の潜在キーが無効になった図である。
【００４９】
図１２は図１１の続きで、ポイント（Ｗｂ３）が停止する事により無効になった目安表と潜在キーの換わりに、左側入力画面（Ｒｂ４）では停止しているポインター（Ｔｂ３）の先を基点として、選択可視された「О」表示の入力欄（Ｂｂｏ）と周辺に図８の第一目安表（Ａｂ０）が表示され、右側入力画面（Ｒｂ４ａ）には図９と同様にポイント（Ｗｂ３）を基点とした入力潜在キーと周辺潜在配置（Ｆｂ２）が設定された図である。
【００５０】
図１３は図１２の続きで、左側入力画面（Ｒｂ５）の図８の目安表（Ａｂ０）及び右側入力画面（Ｒｂ５ａ）の周辺潜在配置（Ｆｂ２）が端にあるので、ポイント（Ｗｂ４）及びポインター（Ｔｂ４）を中央の方向に移動し、停止しようとする図である。
【００５１】
図１４は図１３の続きで、移動中のポイント（Ｗｂ４）が停止し、該停止したポイント（Ｗｂ４）の位置が図１３での周辺潜在配置（Ｆｂ２）以外の領域なので図１３で設定されていた目安表（Ａｂ０）が左側入力画面（Ｒｂ６）で停止したポインター（Ｔｂ４）を基点に再設定され、図１３で設定されていた周辺潜在配置（Ｆｂ２）が左側入力画面（Ｒｂ６ａ）で停止したポイント（Ｗｂ４）を基点に再設定された図である。
【００５２】
図１５は図１４の続きで、次は「ｆ」を入力したいので、接続維持によるポイント（Ｗｂ４）とポインター（Ｔｂ４）は現状維持で、左側入力画面（Ｒｂ７）で数字のキーボードに変更する機能キー（Ｐｂ２）に接することで、図１４で示されていた図８の第一目安表（Ａｂ０）が「Ｆ」の文字が表示されている図８の第三目安表（Ａｂ２）に変更され、右側入力画面（Ｒｂ７ａ）の周辺潜在配置（Ｆｂ３）にも第三目安表（Ａｂ２）に表示されている入力情報が同方向に設定されている図である。
【００５３】
図１６は図１５の続きで、図１０と同様な操作で、右側入力画面（Ｒｂ８ａ）の周辺潜在配置（Ｆｂ３）内の「Ｆ」の文字情報が設定された文字潜在キー（Ｈｂｆ）の領域にポイント（Ｗｂ５）が移動し、左側入力画面（Ｒｂ８）のポインター（Ｔｂ５）が第三目安表（Ａｂ２）の選択可視された「Ｆ」表示の文字欄の領域に移動した図である。
【００５４】
図１７は図１６の続きで、「Ｆ」の入力情報が設定された文字潜在キーの領域内で移動中のポイント（Ｗｂ６）が停止する事により、カーソル（Ｓａ３）に「ｆ」の文字が仮入力され、図１１のように一旦、入力欄を含む目安表と潜在キーが無効になり、図１２のように左側入力画面（Ｒｂ９）のポインター（Ｔｂ６）を基点に新たな図８の第一目安表（Ａｂ０）と右側入力画面（Ｒｂ９ａ）のポイント（Ｗｂ６）を基点に新たな入力潜在キーと周辺潜在配置（Ｆｂ２）が設定された図で、図１２以降と同様な操作により文字の仮入力を続行していく入力方法である。
【実施例３】
【００５５】
実施例３は実施例１、２と同様なキーボードによる入力画面により構成されていて、図１８の各図はジョルト入力における接続維持により表示される目安表で、該目安表の選択欄内の中央左を基点に時計回り方向に予測した単語の優位順に表示された候補欄と「Ｂａｃｋ」と表示された戻り欄が設定されていて、図の左端の目安表を第一目安表（Ａｃ０）とし、該第一目安表が表示されている状態からポイントを更に加圧し押下げて戻す事により、図の中央左の目安表に表示変更され、該変更された目安表を第二目安表（Ａｃ１）とし、該目安表は第一目安表（Ａｃ０）の次に予測した単語の優位順に表示されていて、ポイントを又、加圧し押下げて戻す事により、図の中央右の目安表に表示変更され、該変更された目安表を第三目安表（Ａｃ２）とし、該第三目安表（Ａｃ２）は第二目安表（Ａｃ１）の次に予測した単語の優位順に表示されていて、ポイントを又、加圧し押下げて戻す事により、図の右端の目安表に表示変更され、該変更された目安表を第四目安表（Ａｃ３）とし、該第四目安表（Ａｃ３）は第三目安表（Ａｃ２）の次に予測した単語の優位順に表示されている図である。
【００５６】
図１９はジョルト入力により「Ｓｏｆｔｗａｒｅ」の文字を入力しようとする過程の図２、図９と同様な設定の入力画面で、図１７の続きで、図１９ではカーソル（Ｓａ３）には「Ｓｏｆ」が表示されていて、停止しているポイント（Ｗｃ１）を更に加圧し押下げる事により、右側入力画面（Ｒｃ１ａ）では図１７で設定されていた周辺潜在配置（Ｆｂ２）と左側入力画面（Ｒｃ１）では図１７で表示されていたポインター（Ｔｂ５）と該ポインター（Ｔｂ５）を基点に設定されていた第一目安表（Ａｂ０）が無効となった図である。
【００５７】
図２０は図１９の続きで、加圧しているポイントを元に戻す事により、左側入力画面（Ｒｃ２）には表示されたポインター（Ｔｃ１）を基点として選択可視された「Ｆ」が表示された入力欄（Ｂｃｆ）と周辺に図１８の第一目安表（Ａｃ０）が表示され、右側入力画面（Ｒｃ２ａ）にはポイント（Ｗｃ１）を基点に図１８の第一目安表（Ａｃ０）と図で表示した形状の周辺潜在配置による入力潜在キーと候補潜在キーと戻り潜在キーが設定され、該設定された周辺潜在配置の上方向に図１８の第一目安表（Ａｃ０）と同じ入力情報と同じ形状の新たな周辺潜在配置による入力潜在キーと候補潜在キーと戻り潜在キーが設定され、両方の周辺潜在配置から潜在キーを選択可能な図である。
【００５８】
図２１は図２０の続きで、右側入力画面（Ｒｃ３ａ）の停止中のポイント（Ｗｃ２）を右斜め上方向に移動すると「Ｓｏｆｔｌｙ」の入力情報が設定された候補潜在キー（Ｈｃｄ）が選択され、左側入力画面（Ｒｃ３）の第一目安表（Ａｃ０ａ）内をポインター（Ｔｃ２）で指し示す「Ｓｏｆｔｌｙ」と表示された候補欄（Ｄｃｄ）が選択可視された図である。
【００５９】
図２２は図２１の続きで、入力するのは「Ｓｏｆｔｗａｒｅ」なので右側入力画面（Ｒｃ４ａ）の移動中のポイント（Ｗｃ３）を「Ｓｏｆｔｗａｒｅ」の文字情報が設定されている候補潜在キー（Ｈｃｆ）の領域内に移動すると、左側入力画面（Ｒｃ４）の第一目安表（Ａｃ０ａ）内をポインター（Ｔｃ３）で指し示す「Ｓｏｆｔｗａｒｅ」と表示された候補欄（Ｄｃｆ）が選択可視された図である。
【００６０】
図２３は図２２の続きで、「Ｓｏｆｔｗａｒｅ」の文字情報が表示されている候補欄及び候補潜在キーの領域内にポインター（Ｔｃ４）及びポイント（Ｗｃ４）が停止する事により、左側入力画面（Ｒｃ５）では、カーソルに仮入力されていた「Ｓｏｆ」を無効にし、カーソル（Ｓｃ１）に「Ｓｏｆｔｗａｒｅ」の文字が新たに仮入力され、停止したポインター（Ｔｃ４）を基点として無記入の入力欄と周辺に第一目安表（Ａｃ０ｂ）が表示され、該表示された第一目安表（Ａｃ０ｂ）には、カーソル（Ｓｃ１）の文字情報から更新された文字候補が表示されていて、右側入力画面（Ｒｃ５ａ）には停止したポイント（Ｗｃ４）を基点に図で表示した形状の周辺潜在配置による入力潜在キーと候補潜在キーと戻り潜在キーが設定され、該設定された周辺潜在配置の上方向に左側入力画面（Ｒｃ５）に表示された第一目安表（Ａｃ０ｂ）に表示された文字情報と同じ入力情報と同じ形状の新たな周辺潜在配置による入力潜在キーと候補潜在キーと戻り潜在キーが設定された図で、図２０以降と同様な操作により、カーソル（Ｓ）の文字情報から更新された文字候補が継続的に選択でき、ポイント（Ｗ）の停止により仮入力され、接続解放によりカーソル（Ｓ）に表示された文字が入力確定する入力方法である。
【実施例４】
【００６１】
図２４はパソコン等で使用する表示画面に表示される日本語の５０音表示によるソフトのキーボード（Ｍａ）により「ソフトウェア」の文字を入力しようとする過程の図で、「そ」の文字キー上にポインター（Ｔｂ）を移動し、マウスを左クリックすると、「そ」の文字が表示され選択可視された入力欄（Ｂｄ１）とカーソル上に表示（図なし）された「そ」を基準に予測された単語が目安表（Ａｄ１）として表示されている図である。
【００６２】
図２５は図２４の続きで、マウスの左クリックを解放することで、カーソル上に表示（図なし）された「そ」が仮入力された状態で、図の上段左の目安表（Ａｄ２）で示すように、「ふ」の文字キー上にポインターを移動しマウスを左クリックすると、「ふ」がカーソルに仮入力され、「ふ」が表示され選択可視された入力欄（Ｂｄ２）とカーソル上に表示（図なし）された「そふ」を基準に予測された文字列が目安表（Ａｄ２）として表示されている図で、マウスの左クリックを解放し、図の上段右の目安表（Ａｄ３）で示すように、「と」の文字キー上にポインターを移動しマウスを左クリックすると、「と」がカーソルに仮入力され、「と」が表示され選択可視された入力欄（Ｂｄ３）とカーソル上に表示（図なし）された「そふと」を基準に予測された文字列が目安表（Ａｄ３）として表示されている図で、マウスの左クリックを解放し、図の下段左の目安表（Ａｄ４）で示すように、「う」の文字キー上にポインターを移動し左クリックすると、「う」がカーソルに仮入力され、「う」が表示され選択可視された入力欄（Ｂｄ４）とカーソル上に表示（図なし）された「そふとう」を基準に予測された単語が目安表（Ａｄ４）として表示されている図で、入力しようとする「ソフトウェア」の単語が目安表（Ａｄ４）の選択欄にあるので、図の下段右の目安表（Ａｄ４）で示すように、左クリックした状態を維持したままポインターを左方向の「ソフトウェア」と表示された候補欄（Ｄｄ）の領域に移動した事で選択可視された図で、「ソフトウェア」と表示された候補欄（Ｄｄ）の領域内で停止する事により、カーソルに表示されている「そふとう」の文字が「ソフトウェア」に変更され、カーソル上に表示（図なし）された「ソフトウェア」を基準に予測された文字列が目安表（Ａｄ５）として表示され、ジョルト選択により順次、選択し入力する入力方法である。
【００６３】
図２６の上段左の目安表（Ａｅ１）は英字（ラテン文字）２６文字を内側から時計回りに「ＡＢＣ」順に表示した目安表（Ａｅ１）で、下段左の目安表（Ａｅ２）は英字（ラテン文字）２６文字を内側から時計回りに使用頻度順に表示した目安表（Ａｅ２）で、上段中央の目安表（Ａｆ）はアラビア語２８文字を内側から時計回り順に表示した目安表（Ａｆ）で、上段右の目安表（Ａｇ１）はギリシャ語の大文字２４文字を内側から時計回り順に表示した目安表（Ａｇ１）で、下段右の目安表（Ａｇ２）はギリシャ語の小文字２５文字を内側から時計回り順に表示した目安表（Ａｇ２）で、各目安表（Ａ）と同様な周辺潜在配置により入力する入力方法である。
【００６４】
上記、入力方法を任意により組み合わせて使用が可能である。
【図１】
2017102798.tif 000003
【図２】
2017102798.tif 000004
【図３】
2017102798.tif 000005
【図４】
2017102798.tif 000006
【図５】
2017102798.tif 000007
【図６】
2017102798.tif 000008
【図７】
2017102798.tif 000009
【図８】
2017102798.tif 000010
【図９】
2017102798.tif 000011
【図１０】
2017102798.tif 000012
【図１１】
2017102798.tif 000013
【図１２】
2017102798.tif 000014
【図１３】
2017102798.tif 000015
【図１４】
2017102798.tif 000016
【図１５】
2017102798.tif 000017
【図１６】
2017102798.tif 000018
【図１７】
2017102798.tif 000019
【図１８】
2017102798.tif 000020
【図１９】
2017102798.tif 000021
【図２０】
2017102798.tif 000022
【図２１】
2017102798.tif 000023
【図２２】
2017102798.tif 000024
【図２３】
2017102798.tif 000025
【図２４】
2017102798.tif 000026
【図２５】
2017102798.tif 000027
【図２６】
2017102798.tif 000028